【手続補正書】
【提出日】平成25年12月11日(2013.12.11)
【手続補正１】
【補正対象書類名】明細書
【補正対象項目名】００２７
【補正方法】変更
【補正の内容】
【００２７】
（外箱）
外箱２は有底で上部に出し入れ口４を有した略直方体形状とされ、胴部周りに前側板５、右側板６、後側板７、左側板８が連続し、各側板の下端に底面板９を連続させて、外箱本体を容器高さ方向（内箱のスライド方向）に縦長とした箱形状に形成されている（図５）。そして前記外箱２は、内箱３をスライド可能に収容して内箱３の上部側が出し入れ口４から出入可能としており、外箱２の胴部における前側板５から一方の右側板６にかけてスライド操作口１０が開口されている。前記スライド操作口１０から内箱３の一部分が表出していて、内箱３の表出部分を指先ですり上げたり、すり下げたりすることで内箱３を上げ下げできるようにしている。
【手続補正２】
【補正対象書類名】明細書
【補正対象項目名】００３２
【補正方法】変更
【補正の内容】
【００３２】
即ち、第一ヒンジ２２を中心とした開閉蓋１２の回動と蓋起こし手段２３の上げ下げとが連動するように設けられており、開閉蓋１２が開方向（起立する方向）に回動すると前記蓋起こし手段２３は内箱３の後側板１５に対して相対的に下方に移動するものである（図４）。折り返しを行なった内箱係止手段２５の形状は、後述する外箱係止手段を受け止めるものであればよく、この折りによって鈎状の部位が形成できるものであればよい。
【手続補正３】
【補正対象書類名】明細書
【補正対象項目名】００４２
【補正方法】変更
【補正の内容】
【００４２】
外箱係止手段２６も後側板７の上端部の部分の折り戻りの作用を受けて内箱３の後側板１５側に向けて開くように付勢された状態となって、内箱３がセットされても若干開くように設けられている。加えて、その外箱係止手段２６の下部中央の部分が、蓋起こし手段２３における上記脚状部２８の間の開口部分に対応位置して、前記下部中央の部分が僅かならも内箱の内方に向けて偏倚し易いように設けられている。
【手続補正４】
【補正対象書類名】明細書
【補正対象項目名】００４３
【補正方法】変更
【補正の内容】
【００４３】
上述したように蓋起こし手段２３の折り返されてなる内箱係止手段２５が外箱２側であって上方に僅かに開き、下向きに折られた舌片からなる外箱係止手段２６が内箱３側であって下方に僅かに開いているため、内箱３を上昇させることにより相互に相手の係止手段内に入り込むようになる。そして、内箱３の上昇に伴って内箱係止手段２５と外箱係止手段２６とが相対して、内箱係止手段２５に外箱係止手段２６が係合する。
【手続補正５】
【補正対象書類名】明細書
【補正対象項目名】００４９
【補正方法】変更
【補正の内容】
【００４９】
本包装容器１では上述のように内箱３を上昇させることで開閉蓋１２が開いて内箱３の取り出し口１１から収納物を取り出すことができる。そして、上昇した内箱３を降ろすには上記スライド操作口１０を通して内箱３の前側板１３をすり下ろす操作をすればよい。このとき、まず蓋起こし手段２３（内箱係止手段２５）と外箱係止手段２６とが係合した状態で内箱本体の部分が降下し、第一ヒンジ２２の位置が下がるので、開閉蓋１２が閉方向に回動する。そして、前記開閉蓋１２の回動と外箱２の後側板７の上端部（出し入れ口における開口辺の内の一辺）に案内されながら蓋起こし手段２３の上部部分（第二ヒンジ２４と第三ヒンジ２７の間）が起き、さらに内箱３が降下することで、内箱係止手段２５と外箱係止手段２６との係合が解かれることとなり、内箱３の底面板１７と外箱２の底面板９とが接して内箱３の降下が止まり、開閉蓋１２も閉じた状態で外箱２の出し入れ口４に位置することとなる。
【手続補正６】
【補正対象書類名】明細書
【補正対象項目名】００５８
【補正方法】変更
【補正の内容】
【００５８】
（内箱ブランク）
図１２のブランク４１に示すように内箱３は、前側板１３と底面板１７と後側板１５とが連接され、後側板１５には左側板１６を得るための左側板パネル１６ａ、右側板１４を得るための右側板パネル１４ａが連接され、前側板１３には左側板１６を得るための左側板パネル１６ｂ、右側板１４を得るための右側板パネル１４ｂ、前側板１３を内面側から補強する当てパネル１３ａが連接されている。そして、左側板パネル１６ａと右側板パネル１４ａに連接のフラップ１６ｃ、１４ｃを底面板１７に重ねながら、左側板パネル１６ａの外面側に左側板パネル１６ｂを重ねるとともに、右側板パネル１４ａの外面側に右側板パネル１４ｂを重ねていて、所要の板同士の接合面を貼り合わせて前側板１３と後側板１５とが相対した略直方体状の内箱３の箱としての基本部分を形成している。当てパネル１３ａは折り返されて前側板１３の内面に重ね合わされている。
【手続補正７】
【補正対象書類名】明細書
【補正対象項目名】００６２
【補正方法】変更
【補正の内容】
【００６２】
この第一の実施の形態のスライド操作口１０は、図示したように外箱２の前側板５の側辺に寄っていて一部分が右側板６にも及ぶレイアウトとしているが、上述した蓋起こし手段と外箱係止手段との係合や開閉蓋の閉止などに支障を来さない範囲であれば、外箱３の胴周りの何れの側板に配置されていてもよい。例えばこのスライド操作口１０を右側板６のみ（或いは左側板８のみ）に設けてもよい。
【手続補正８】
【補正対象書類名】明細書
【補正対象項目名】００７２
【補正方法】変更
【補正の内容】
【００７２】
（第三の実施の形態）
図１７から図１９は第三の実施の形態を示している。この実施の形態にあっては、外箱２の右側板６にスライド操作口１０が開口していて、スライド操作口１０から表出する内箱３の右側板１４を摺り上げたり摺り降ろしたりすることで内箱３が上下するものであり、内箱３の上昇に応じて開閉蓋１２が開方向に回動して出し入れ口４が開放され、内箱３の降下に応じて開閉蓋１２が閉方向に回動し、出し入れ口４に位置した開閉蓋１２は伏した状態となってその出し入れ口４を閉鎖するものである。このように内箱３の上げ下げに関しては左右の側板の内の一方の側板に開口されたスライド操作口１０を通して行なうことで上記実施の形態と相違している。
【手続補正９】
【補正対象書類名】明細書
【補正対象項目名】００７８
【補正方法】変更
【補正の内容】
【００７８】
外箱２に収められている内箱３を摺り上げて上昇するときには、内箱３の前側板１３の上部両端で凸となっている端部である回動板起こし手段Ａが回動板３６に当接して押し上げ、この回動板３６を起き方向に回動させることとなり、内箱３の上方向への移動に支障を来さないようにしている。なお、内箱３の前側板１３の内面側に折り返された当てパネル１３ａがほぼ開口１３ｂに対応していて、この当てパネル１３ａに係止舌片５２の折り返し部分を摺接可能に接触させ、係止舌片５２が収納物と干渉しないように図られている。
【手続補正１０】
【補正対象書類名】明細書
【補正対象項目名】００８２
【補正方法】変更
【補正の内容】
【００８２】
（第五の実施の形態）
図２７から図３０は第五の実施の形態として上述したように内箱３を略舟型状とした一例を図示していて、開閉蓋１２が上下に移動することで出し入れ口４を開閉するように構成された例を示している。図２８に示すように内箱３は外箱２の前側板５に対応する側が開放され、この部分を取り出し口１１としており、内箱３の胴部が胴周りに連続する右側板１４、後側板１５、左側板１６の三方の側板から構成され、上述した各実施の形態での内箱３での前側板が設けられていない。また、上記各実施の形態では外箱２の出し入れ口４を開け閉めする開閉蓋１２を回動可能に備えているものであるが、この第五の実施の形態での内箱３は天面板５３を開閉蓋１２としているものであって、天部側にこの内箱本体に対して固定である開閉蓋１２を有している。そして、外箱２に収容した内箱３の前記開閉蓋１２を出し入れ口４に位置させることでその出し入れ口４が閉じられ、内箱３を摺り上げて開閉蓋１２を上昇させることで出し入れ口４が開き、表われた取り出し口１１から収納物を取り出すことができるものである。さらに、この内箱３の右側板１４と左側板１６との外箱２の前側板５側となる側辺には、上記第一の実施の形態と同じように係止凸片３９からなる回動板伏せ手段Ｂを設けている。
【手続補正１１】
【補正対象書類名】明細書
【補正対象項目名】００８４
【補正方法】変更
【補正の内容】
【００８４】
この実施の形態では内箱３の上方への移動に応じて回動板を起こす手段は特に設けられてはおらず、上昇する収納物が回動板３６に接触することでこの回動板３６が起きる方向に回動するようにしている。なお、収納物の取り出しができるまでに内箱３が摺り上げられる際、上記回動板伏せ手段Ｂや左右の側板１４、１６の前側板５側の側辺も回動板３６の端部に摺接してこの回動板３６を起こすこととなるので、回動板伏せ手段Ｂが回動板起こし手段Ａの役割も兼ねるようにしたり、左右の側板１４、１６の前側板５側の側辺を回動板起こし手段Ａとしてもよい。
【手続補正１２】
【補正対象書類名】明細書
【補正対象項目名】００８６
【補正方法】変更
【補正の内容】
【００８６】
図３０は略舟型状にする内箱３を得るためのブランクを示していて、右側板１４と後側板１５と左側板１６とが連接されている。前記後側板１５の上端辺には、天面板５３が連接されていて、これに連接の折り返しパネル５３ａを天面板５２の内面側に折り返し、天面板５３と折り返しパネル５３ａとの間に、右側板１４に連接のフラップ１４ｄと左側板１６に連接のフラップ１６ｄとを配する。また、前記後側板１５の下端辺には、底面板１７が連接されていて、これに連接の折り返しパネル１７ａを底面板１７の内面側に折り返し、底面板１７と折り返しパネル１７ａとの間に、右側板１４に連接のフラップ１４ｃと左側板１６に連接のフラップ１６ｃとを配することにより内箱３が得られる。
【手続補正１３】
【補正対象書類名】図面
【補正対象項目名】図５
【補正方法】変更
【補正の内容】
【図５】
2013159350.tif 000001
【手続補正１４】
【補正対象書類名】図面
【補正対象項目名】図１３
【補正方法】変更
【補正の内容】
【図１３】
2013159350.tif 000002
【手続補正１５】
【補正対象書類名】図面
【補正対象項目名】図１６
【補正方法】変更
【補正の内容】
【図１６】
2013159350.tif 000003
【手続補正１６】
【補正対象書類名】図面
【補正対象項目名】図２３
【補正方法】変更
【補正の内容】
【図２３】
2013159350.tif 000004